Podtech/llm-jp-corpus-v4-ja_patent huggingface dataset:
(57)【要約】      （修正有）【課題】遺品を収納し、裏蓋に写真挿入部を設け、写真立てとしての使用及び、持ち運びを可能とする。【解決手段】遺品収納部５を設け、蓋板を箱と一体化することにより、差込み口３より、挿入した写真を立てての使用が可能となり、また持ち運びも簡便に行える。【選択図】図２
0003138222.tif 000002
【実用新案登録請求の範囲】
【請求項１】
箱の開閉扉裏に、写真を挿入できる窓を設けたことで、箱を立てて写真立てとして使用できるとともに、亡くした子どもの遺品・記念品を一緒に収納することが可能な写真立て付き遺品収納メモリアルボックス。
【考案の詳細な説明】
【技術分野】
【０００１】  本考案は、写真立て及び、遺品・記念品を収納できるボックスに関するものである。
【背景技術】
【０００２】  死産・流産した場合、子どもの写真、遺髪、つめ、ネームバンド、母子手帳などの遺品・記念品を保管する適当なボックスはなく、また写真は別々に保管していたため、携帯するのには容易ではなかった。
【考案の開示】
【考案が解決しようとする課題】
【０００３】  携帯時の簡便性や、外出先での写真立てとしての使用に手間がかかる為、写真立てと収納・保管を一体化することにより、前述の欠点を解決しようとするものである。また、保管には収納物の性質上、それにふさわしい質感や形状が要求される。
【課題を解決するための手段】
【０００４】  本考案は、ボックスに厚みをもたせ、その中に遺品を収納し、また箱を立てる事により、写真立てとしての利用を容易にすることが可能になり、問題点を解決している。
【考案の効果】
【０００５】  上述の様に、本考案の写真立て付き収納ボックスは、遺品や記念品を収納するだけでなく、写真を入れて、写真立てとして使用できるばかりか、祭壇のように飾る事も可能である。また、収納したい時には、容易にでき、その為携帯にも便利である。
【考案を実施するための最良の形態】
【０００６】  ボックスの蓋は本体に固定し、開閉は上蓋の中央から両側に観音開きに、裏蓋には２ヶ所の写真挿入部を設けた。表蓋はやわらかな質感を出すようふくらみを持たせる縫製とした。また、箱の深さに厚みを持たせることにより、遺品等の収納ができ、且つ箱を開いた状態で立てる事が可能となる。
【実施例】
【０００７】  以下、添付図面に従って実施例と説明する。１はサテンリボン素材にて、リボンを結んだり、ほどいたりして開閉する。２は箱に一体化された上蓋である。【０００８】  ３は前期上蓋部分の裏側に設けた写真挿入口で、４はその写真用の六角形のやさしい形状の窓である。５は遺品等を入れておくことが出きる。収納窓である。【０００９】  ６は箱を立てて、写真立てのようにしたり、箱の前に遺品やお花を飾ることにより、亡くした子どもの為のメモリアルコーナーとしての使用も可能である。
【図面の簡単な説明】
【００１０】
【図１】本考案の写真立て付き遺品メモリアルボックスの実施例を示す全体図である。
【図２】本ボックスの収納部を示す開放時の全体図である。
【図３】写真立てとしての機能を示す本ボックスを立てた状態の図である。
【符号の説明】
【００１１】１  リボン
２  蓋板
３  写真挿入口
４  写真窓
５  遺品収納部
【図１】
0003138222.tif 000003
【図２】
0003138222.tif 000004
【図３】
0003138222.tif 000005
(57)【要約】      （修正有）【課題】天然繊維のシルクが直接素肌に触れた風合いと石鹸の泡の豊かさと両方が満足でき、天然繊維のシルクタオルに化学繊維の泡立てネットをくるむことにより直接化学繊維が肌に触れることが無くなるので肌の弱い人や肌荒れの人には安全で優しい浴用タオルを提供する。【解決手段】天然繊維のシルクタオル（１）１メートルの中に化学繊維４メートルのネット（２）をくるむという手段である。シルクタオルの長さで背中に十分洗いやすくなりくるんで３カ所と両端を山型に縫うことで持ちやすく日常使いやすい浴用シルクタオル。【選択図】図１
0003138224.tif 000002
【実用新案登録請求の範囲】
【請求項１】
天然繊維のシルクで出来ているタオルを折って長方形状にしてその中に石鹸の泡を出しやすく加工された化学繊維のネットを入れて、両端を縫い合わせます。背中にまわる皮膚に優しい安全な浴用シルクタオルとなります。
【考案の詳細な説明】
【技術分野】
【０００１】  本考案はシルクタオルに化学繊維の泡立てネットを縫いつけタオルの幅半分の大きさにして背中にまわるようにして使いやすくしたものである。
【背景技術】
【０００２】  従来のものはシルクタオルと泡立てネットは別々の用途として使われている。
【考案の開示】
【考案が解決しようとする課題】
【０００３】  シルクタオルだけでは体全体を洗うにはたよりない。
また泡立てネットは球状にしたものに紐を付けただけなので背中を洗うときは不便です。ネットは化学繊維で出来ている、直接肌に触れるので肌の弱い人にはよくありません。
【課題を解決するための手段】
【０００４】  シルクタオルだけの頼りない使い心地に、少しボリュウムを持たせるため化学繊維のネットを縫い合わせることを考えました。図１のようにシルクタオルの幅２６センチを半分に折って泡立てネット４メートルを平均に置いて３カ所を縫い更に両端も縫い、上半分のシルクタオルを重ねて縫い合わせます。
【考案の効果】
【０００５】  化学繊維が直接肌に触れず天然繊維のシルクタオルの風合いの良さは格別です。弱い肌の人や荒れ性の人達にも良いと思います。体を洗った後もシルクタオルの効果ですべすべの肌を感じられます。
【考案を実施するための最良の形態】
【０００６】  シルクタオルは天然繊維なので風合いの良さがあります。中に化学繊維のネットを入れたことにより図３のようにボリュウムも出て泡立ちもよく水切れも木綿などより素早くできます。
長さは１メートルなので背中に充分回って洗いやすい。シルクタオルの出来上がりに図２のように両端を落ち着かせるのと持ちやすいように山型に飾りミシンを入れました。
【図面の簡単な説明】
【０００７】
【図１】シルクタオルに泡立てネットを置いて５カ所縫いつけた図面
【図２】シルクタオルを半分に折って両端と合わせた部分を縫い更に持ちやすいように両端を山型に縫い飾りを入れました
【図３】浴用ボディタオルの側面図、中に泡立てネットが入っているので５〜６センチの厚みがある。
【符号の説明】
【０００８】１  シルクタオル
２  泡立てネット
３  タオルの端
４  押さえミシン
５  タオルの折り目
【図１】
0003138224.tif 000003
【図２】
0003138224.tif 000004
【図３】
0003138224.tif 000005
(57)【要約】      （修正有）【課題】冊子状の印刷物の小口に、印刷工程を増す事なく、ページ数の少ない厚みのない冊子の小口にも、片方向より１種類、又は双方向から２種類のメッセージを掲載する。【解決手段】小口１に掲載したいメッセージをスライスしてスライドさせながら載せることで向かって右から開くか、向かって左から開くかの双方向より２種類のメッセージが印刷されます。【選択図】図２
0003138228.tif 000002
【実用新案登録請求の範囲】
【請求項１】
小口に載せたいメッセージをスライスしてスライドさせながら載せることで片方向より１種類、又は双方向より２種類のメッセージが印刷された小口ツーウェイ・メッセージプリント冊子。
【考案の詳細な説明】
【技術分野】
【０００１】  本考案は、小口に片双方向より１種類、又は双方向より２種類のメッセージが印刷された小口ツーウェイ・メッセージプリント冊子に関する。
【背景技術】
【０００２】  ページ数が多く厚みのある印刷物については裁断後に別版を使って小口に印刷する技術を用いて作成された冊子は従来から存在している。
【考案の開示】
【考案が解決しようとする課題】
【０００３】  しかしながら、別版をつかうことによるコストアップとページ数が少なく厚みのない冊子には印刷が不可能であるという欠点があった。
【課題を解決するための手段】
【０００４】  本考案は、冊子状の印刷物の小口にメッセージ（例えばロゴ・広告・社名・記号・イラスト・デザイン等）のスライスをスライドさせながら載せる小口ツーウェイ・メッセージプリント冊子である。
【考案の効果】
【０００５】  別版を使うことなく、紙面の印刷と同時に進行できるので大幅なコストダウンにつながる事や厚みのない冊子の小口への印刷が可能な事、又前ページから開いたときに見えるメッセージ、後ページから開いたときに見えるメッセージと双方より２種類のメッセージを作りだせる効果がある。
掲載されるメッセージの１種類とは、片方向から見える小口ツーウェイ・メッセージプリント冊子の小口を１ページと見なしたとき、掲載可能な１ページ分の分量を示す。
【考案を実施するための最良の形態】
【０００６】  図１のように、小口にデザインをずらしながらスライスしたものを配置する。図１において、（ア）は、向かって右から開いたときに見せたいメッセージ、（イ）は向かって左から開いたときに見せたいメッセージで、矢印の示す小口にメッセージを縦方向にスライスして配置している図です。このように配置することで製本後、本考案の効果である双方向から２つのメッセージを見せる為の仕組み図です。（ウ）は、編集段階でページを見開きで表している。
「小口（こぐち）」とは書物の「のど」（見開きにしたときの中央の部分）の反対側を指す。【０００７】  図２のように、出来上がった印刷物の小口にメッセージで載っている。図２において、（エ）は、向かって右から開いたときに見えるメッセージ、（オ）は、向かって左から開いたときに見えるメッセージで、本考案の最終的な結果図であり図１で配置したものがどのような見え方がするかを表しています。
【図面の簡単な説明】
【０００８】
【図１】  図１は、印刷段階において紙面の編集作業状態を表す。
【図２】  図２は、本考案の、小口ツーウェイ・メッセージプリント冊子の出来上がり時の斜視図である。
【符号の説明】
【０００９】  １…小口
２…のど
３…表紙又は裏表紙
【図１】
0003138228.tif 000003
【図２】
0003138228.tif 000004
(57)【要約】      （修正有）【課題】ふとん係止帯に、係止紐を簡単に早く結ぶ作業ができるふとんカバーを提供する。【解決手段】ふとん本体をふとん収納口２より入れ係止帯にふとんカバーの係止紐６を結ぶ作業を手探りでしていたが、ふとんカバーの裏面３四隅に係止紐６を結ぶ開口部５を設けた。芳香剤や小物を枕元等に置いていたのを、ふとんカバーの表面襟部側に収納できるポケット袋を設けた。就寝中にふとん寝乱れや滑り落ちで困っていたが、ふとんカバーの足部に寝乱れ滑り落ち抑制布１０を縫い付けた。【選択図】図２
0003138282.tif 000002
【実用新案登録請求の範囲】
【請求項１】
ふとん本体四隅を固定する係止紐を備えたふとんカバーに於いて、前記係止紐を簡単に早く結ぶ作業が可能な開口部をふとんカバーの四隅に設けたことを特徴とするふとんカバー。
【請求項２】
請求項１に記載のふとんカバーに於いて、芳香剤や小物を入れるポケット袋をふとんカバーの襟部側に設けたことを特徴とするふとんカバー。
【請求項３】
請求項１又は２に記載のふとんカバーに於いて、ふとん本体の下方の敷布団又はベッドマットに敷き込み就寝中にふとんの寝乱れや滑り落ちを抑制する、ふとん寝乱れ滑り落ち抑制布をふとんカバーの足部に設けたことを特徴とするふとんカバー。
【考案の詳細な説明】
【技術分野】
【０００１】
本考案は、ふとんカバーに関し、特に係止紐を備えたふとんカバーに関するものである。
【背景技術】
【０００２】
従来、ふとんカバーには内側四隅に係止紐が２本を一組として取り付けてあり、ふとん本体にふとんカバーを覆い被せる時手探りで、例えばふとん本体に有するふとん係止帯に係止紐を結んでいた。また、ふとん係止帯と係止紐を収納口まで引き出して結ぶ作業をしていた。しかし、これでは早く結ぶ事ができず時間が掛かかり、また、結び目が緩くて使用中に結び目が解けてしまう問題点があった。
【考案の開示】
【考案が解決しようとする課題】
【０００３】
そこで、ふとん係止帯に、係止紐を簡単に早く結ぶ作業ができるふとんカバーを提供することを課題とする。
【課題を解決するための手段】
【０００４】
上記課題を解決するため、この出願の請求項１の考案では、ふとん本体の四隅にふとんカバーの係止紐を固定する作業が可能な開口部をふとんカバーの四隅に設けたものである。
【０００５】
また、この出願の請求項２の考案では、ふとんカバーの襟部側に芳香剤や小物を入れるポケット袋を設けたものである。
【０００６】
さらに、この出願の請求項３の考案では、ふとんカバーの足部にふとん寝乱れ滑り落ち抑制布を縫い付けたのである。
【考案の効果】
【０００７】
この出願の請求項１の考案では、ふとんカバーの四隅に開口部を設けた事によりより、ふとん本体とふとんカバーの係止紐を結ぶ作業が、開口部があることにより簡単に早くでき、ふとんカバーの覆い被せる時間が短縮できる。
【０００８】
また、請求項２の考案に於いては、ふとんカバーの襟部側にポケット袋を設けた事により、使用者の身近に芳香剤や小物を出し入れることができる。 
【０００９】
さらに、請求項３の考案に於いては、ふとんカバーに縫い付けたふとん寝乱れ滑り落ち抑制布を敷布団またベッドマットに敷き込むことにより、ふとんの寝乱れや滑り落ちを抑制できる。
【考案を実施するための最良の形態】
【００１０】
図１〜２は、請求項１〜３に係わる考案の実施するための最良の形態を示すふとんカバー表面と裏面上視図である。これを使用する時は、請求項１では、ふとん本体１１をふとん収納口２より収納し図2のふとんカバーの四隅に設けた係止紐６と開口部５にて、図３で示すように開口部５を拡げふとん本体の係止帯１２にふとんカバーの係止紐６を簡単に早くしっかり結べる。さらに、この形態では、開口部５を覆う三角布４を設けてある。
【００１１】
さらに、三角布４により開口部５を開口した後は、自然に戻りふとん本体１１を覆い隠すことができる見た目が良い。
【００１２】
請求項１の考案に於いて、ふとんカバーを覆い被せる時、ふとん収納口２から手探りでふとん係止帯１２にふとんカバーの係止紐６を結ぶか、収納口２まで引き出して結んでいた作業が、四隅の開口部５を拡げふとん係止帯１２にふとんカバーの係止紐６を結ぶ作業が簡単に短時間にできる。また、結び目も強く結べ使用中にその結び目が解けてしまうことがない。
【００１３】
また、請求項２の考案に於いて、芳香剤や小物を枕元等に置いていたのを、ふとんカバーの襟部のポケット袋８に芳香剤や小物の出し入れが使用者の身近にでき便利な袋である。
袋係止紐を結べば飛び出すことがない。
特に、ポケット袋８を網袋にすれば芳香剤の匂いが発散しやすいので安眠と精神安定効果が得られる。
【００１４】
更に、請求項３の考案に於いて、ふとんカバーの足部に縫い付けたふとん寝乱れ滑り落ち抑制布１０を敷布団、また、ベッドの場合はマット下に敷き込む事により、ふとんが動かなくて睡眠中ふとんの寝乱れ滑り落ちがなく保温効果があり安眠ができる。 
【００１５】
本考案のふとんカバーに於いて、ふとんカバーを縫製する時、裏面の四隅角を手が入る程の大きさの三角形状に切り取り開口部５を形成する。前記より少し大きめの三角形状の布を被せ縫い付ければ三角布４ができる。また、襟部側にポケット用の布とポケット係止紐９を縫い付けてポケット袋８ができる。さらに、足部の中心にシングルかダブルに応じて、巾は、敷布団１３の巾か少し狭くてもよい、長さは、５０ｃｍ〜８０ｃｍ位の形状の布を縫い付けることにより本考案が特徴とするふとんカバーができる。
【図面の簡単な説明】
【００１６】
【図１】この考案の実施例を示すふとんカバー表面の上視図である。
【図２】この考案の実施例を示すふとんカバー裏面の上視図である。
【図３】図２のふとんカバー裏面四隅開口部よりふとん本体係止帯にふとんカバー係止紐を結んだ要部拡大図である。
【図４】図３の断面図である
【図５】図１のふとんカバー襟部ポケット袋開口部と芳香剤や小物入れ袋の要部拡大図である。
【図６】図１のふとんカバー足部の寝乱れ滑り落ち抑制布を敷布団又ベッドマット下に敷き込んだ断面図である。
【符号の説明】
【００１７】
１・・ふとんカバーの表面
２・・ふとん収納口
３・・ふとんカバーの裏面
４・・三角布
５・・開口部
６・・係止紐
７・・ポケット袋開口部
８・・ポケット袋
９・・袋係止紐
１０・・ふとん寝乱れ滑り落ち抑制布
１１・・ふとん本体
１２・・ふとん本体の係止帯
１３・・敷布団（ベッドマット）
【図１】
0003138282.tif 000003
【図２】
0003138282.tif 000004
【図３】
0003138282.tif 000005
【図４】
0003138282.tif 000006
【図５】
0003138282.tif 000007
【図６】
0003138282.tif 000008
(57)【要約】【課題】本考案は平帯状の物本体に装飾物を付け自由に付け替える事の出来るものである。【解決手段】本考案は装飾物２を平帯状の物本体１に付け、又、衣類に二つの平帯状の物本体を通し固定させる紐４を付け、当該平帯状の物を通し固定させる紐に、平帯状の物本体の両端をそれぞれに外側から通して内側に折り返し、重ね合わせた位置に面ファスナー又は留める物３を一対ずつ付けそれぞれに固定することで自由に装飾物を付け替える事が出来き、且つ、装飾物を安定させることが可能となる。【選択図】図１
0003138206.tif 000002
【実用新案登録請求の範囲】
【請求項１】
装飾物を平帯状の物本体に付け、又、衣類に二つの平帯状の物本体を通し固定させる紐を付け、当該平帯状の物を通し固定させる紐に、平帯状の物本体の両端をそれぞれに外側から通して内側に折り返し、重ね合わせた位置に面ファスナー又は留める物を一対ずつ付け平帯状の物本体をそれぞれに固定させることを特徴とする自由に付け替える事の出来る装飾。
【考案の詳細な説明】
【技術分野】
【０００１】  本考案は、平帯状の物に付けた面ファスナー又は留めるものにより自由に装飾物を付け替えることが出来るものである。
【背景技術】
【０００２】  従来装飾物は、衣類に直接付けたり、ピンにより付け替えたりしている。
【考案の開示】
【考案が解決しょうとする課題】
【０００３】  衣類に装飾物を直接付けると嗜好に合ったものを自由に付け替えることが出来ない。又面ファスナーや留めるものを衣類に直接付けると外れやすく体裁も悪い。ピンなどで衣類に直接付けても外れた場合危険を伴う恐れがある。従って、平帯状の物に付けた面ファスナー又は留めるものにより自由に装飾物を付け替えることが可能になり前述の欠点を解決しようとするものである。
【課題を解決するための手段】
【０００４】  本考案は、装飾物を平帯状の物本体に付け、その平帯状の物の両端をそれぞれ衣類に付けた二つの平帯状の物を通し固定させる紐に外側から通して内側に折り返し、重ね合わせた位置に面ファスナー又は留めるものを一対ずつ付けそれぞれに固定させることにより問題点を解決している。
【考案の効果】
【０００５】  上述の様に、本考案の自由に付け替えることの出来る装飾を使うことにより嗜好に合ったものを自由に付け替えることが出来る。
【考案を実施するための最良の形態】
【０００６】  装飾物を平帯状の物に付け、その平帯状の物の両端をそれぞれ衣類に付けた二つの平帯状の物を通し固定させる紐に外側から通して内側に折り返し、重ね合わせた位置に面ファスナー又は留めるものを一対ずつ付けそれぞれに固定させることにより、装飾物を安定して固定させることが可能となり且つ、簡単に装飾物を付け替える事が出来るものとなる。
【実施例】
【０００７】  衣類に簡単にリボン、作り帯、造花などの色々な装飾物を付け替えることが出来る。
【図面の簡単な説明】
【０００８】
【図１】本考案の自由に付け替えることの出来る装飾の表面図である。
【図２】同上の裏面図
【図３】同上の側面図
【符号の説明】
【０００９】１  平帯状の物本体
２  装飾物
３  面ファスナー又は留める物
４  平帯状の物を通し固定させる紐
【図１】
0003138206.tif 000003
【図２】
0003138206.tif 000004
【図３】
0003138206.tif 000005
(57)【要約】      （修正有）【課題】従来のエアコン冷房運転によるヒートアイランド現象と消費電力の減少を解消する。【解決手段】エアコン室外機内凝縮機を冷やす事と室外機内ファンモータを利用した発電により行う。【選択図】図１
0003138209.tif 000002
【実用新案登録請求の範囲】
【請求項１】
エアコン室外機内凝縮機に凝縮機冷却装置を設けたことを特徴とするエアコン。
【請求項２】
エアコン室外機内ファンモータの回転動力を利用した発電装置を設けたことを特徴とするエアコン。
【考案の詳細な説明】
【技術分野】
【０００１】本考案は、エアコンに関するものであり、エアコン室外機に凝縮器冷却装置と発電装置を加えることによって一般家庭用・業務用エアコンから排出する排熱とエアコン消費電力の減少が出来るエアコンに関する。
【背景技術】
【０００２】
【考案の開示】
【考案が解決しようとする課題】
【０００３】しかし、従来のようなエアコンでは、室外機から排出する排熱や消費電力の不都合を解決することを課題とする。
【課題を解決するための手段】
【０００４】この課題を解決するための請求項の考案は、エアコン室外機本体の凝縮器後部に凝縮器冷却装置を設けたことを特徴とする、エアコンである。
凝縮器冷却装置により凝縮器から排出する熱を冷却することができる。【０００５】又、請求項２の発明は、エアコン室外機本体ファンモータに発電装置設けたことを特徴とする、エアコンである。エアコン運転時に回るファンモータの動力を利用する事で発電・蓄電し、エアコン運転時の消費電力を減少することができる。
【考案の効果】
【０００６】本考案により、一般家庭や事務所で使用されるエアコンの排出熱・消費電力の減少が可能で、ヒートアイランド現象・電力の減少することが出来る。
【考案を実施するための最良の形態】
【０００７】以下、本考案の実施の形態を図１〜図２に基づいて説明する。【０００８】図１においては、１のコンプレッサーから吐出された冷媒が９配管を通り２の半密閉凝縮器から３エクスパンジョンバルブで減圧され、４蒸発器の冷風でエアコン室外機凝縮器を冷却するための冷却装置である。【０００９】図２においては、５のファンモータに６プーリーをかけ７ベルトで８オルタネータに動力を与え発生した電力を１０バッテリーに蓄電し、１１インバータで変換された電気で、エアコン運転動力とするための発電装置である。
【図面の簡単な説明】
【００１０】
【図１】本考案の実施形態を示すヒートアイランド現象・消費電力減少エアコン室外機内凝縮器冷却装置の立体図である。
【図２】本考案の実施形態を示すヒートアイランド現象・消費電力減少エアコン室外機内発電装置装置の立体図である。
【符号の説明】
【００１１】  １コンプレッサー
２半密閉凝縮器
３エクスパンジョンバルブ
４蒸発器
５ファンモータ
６プーリ
７ベルト
８オルタネータ
９配管
１０バッテリー
１１インバータ
【図１】
0003138209.tif 000003
【図２】
0003138209.tif 000004
(57)【要約】      （修正有）【課題】胸回りを絞めつけているベルト金具を除くことで胸囲の圧迫感がなくなり、肩ひもを背中でクロスすることにより肩ひものずれ落ち防止でき、安定性ある着用とする。【解決手段】上記ブラジャーは背中で肩ひもをクロスすることで安定よく締め付け肩ひもからテープベルトが脇部を通り前方中央でホック固定する。背部領域、脇部にソフト樹脂を縫い込んであることにより、テープベルトとクロス状になり安定感が得られる。脇部サイドからベルトテープが胸カップ下方に斜めに張力が架かりバストアップになり、胸周りを密着できた着用になる。【選択図】図３
0003138202.tif 000002
【実用新案登録請求の範囲】
【請求項１】
ブラジャーの肩ひもを背中でクロスし、さらに延長した肩ひもと接続されたベルトテープは本体脇部に通し、背後からベルトテープは脇サイド部から出て胸カップ下方に廻し前方中央にて架けホックで連結することで胸囲が二重性になることを特徴とした二重構造のブラジャー。
【考案の詳細な説明】
【技術分野】
【０００１】    本考案は、ブラジャーの肩ひもと背中のカギホックで止めているベルト部分を改造したものに関するものです
【背景技術】
【０００２】  左右の胸カップをひもで肩から背中へ平行に回し、胸周りを安定しているベルトに接続している。背中中心でカギホック金具をつけ着脱している
【考案が解決しょうとする課題】
【０００３】  胸回りを絞めつけているベルト金具を除くことで胸囲の圧迫感がなくなり、肩ひもを背中でクロスすることにより肩ひものずれ落ち防止でき  安定性ある着用になる
【考案の開示】
【課題を解決するための手段】
【０００４】  本考案は、ブラジャー本体の胸回りを締め付けているベルト金具部分を取り除くことで、圧迫感をなくすものです。
肩からかけていた紐を背中でクロスし  それぞれ肩ひも延長してテープベルトとして脇部サイドへ通し、更に背後からベルトテープを胸カップ下方から前方中央でカギホックする。
【考案の効果】
【０００５】  背中でクロスした肩ひもテープの張力は脇部に縫い込んであるソフト樹脂にクロス状態になり背中領域を柔軟に負荷する、テープ張力が背後から胸カップ下方をベルトテープで支え、バストカップを安定よく被い、バストアップにもなる。
【考案を実施するための最良の形態】
【０００６】  胸囲の安全ベルト切断することで  胸回りの圧迫感がなく  背中のラインがすっきり姿勢よく見え、肩ひもを背中でクロスすることで  肩ひものずれ落ち防止、ベルトテープを背後から前方へ廻すことで胸カップを支え  バストアップも望める。
【実施例】
【０００７】  以下、添付図面に従って一実施例を説明する。１ａ  １ｂ肩ひも  ２ａ  ２ｂ肩ひもと接続したテープベルト  ３ａ  ３ｂは前方テープベルト先端のカギホック  ３ｃは胸カップを繋ぐカギホック  ４は胸カップ  ５は本体  ６は本体背部、脇部に縫い込んであるソフト樹脂【０００８】  背中でクロスした肩ひも１ａ、１ｂ、と接続したテープベルト２ａ、２ｂ、の張力が背中と脇部に縫いこんであるソフト樹脂  ６にクロス状態になり背中領域を柔軟に負荷することに成り  又  テープ張力が背後から胸カップ４の下方をベルトテープで支え、バストアップにもなる。
【図面の簡単な説明】
【０００９】
【図１】考案によるブラジャーの前方図
【図２】着用した時の後方からの図
【図３】ホックを掛けて着用した前方からの図
【符号の説明】
【０００１０】  １ａ  １ｂ  肩ひも
２ａ  ２ｂ  テープベルト
３ａ  ３ｂ  テープベルトの先端に付けたカギホック
３ｃ  本体前方開きカギホック
４    胸カップ
５    本体
６    ソフト樹脂
【図１】
0003138202.tif 000003
【図２】
0003138202.tif 000004
【図３】
0003138202.tif 000005
(57)【要約】      （修正有）【課題】扇風機に水を霧状に噴出する装置を加えることによって室内の温度低下出来る扇風機を提供する。【解決手段】扇風機本体の下部に水と氷を貯槽してポンプ１でくみ上げ、扇風機ファン４前部から霧状の水を噴出する装置３を設ける。【選択図】図１
0003138210.tif 000002
【実用新案登録請求の範囲】
【請求項１】
霧状の水を噴出する装置を設けた事を特徴とする扇風機。
【考案の詳細な説明】
【技術分野】
【０００１】本考案は、扇風機に関するものであり、扇風機に水を霧状に噴出する装置を加えることによって室内の温度低下出来る扇風機に関する。
【背景技術】
【０００２】
【考案の開示】
【考案が解決しようとする課題】
【０００３】しかし、従来の扇風機では、室温を下げられない不具合を解決することを課題とする。
【課題を解決するための手段】
【０００４】この課題を解決するための請求項の考案は、扇風機本体の下部に水と氷を貯槽してポンプでくみ上げ、扇風機ファン前部から霧状の水を噴出する装置を設けた事を特徴とする扇風機である。
【考案の効果】
【０００５】本考案により、室内の温度を低下させる事だけではなく、エアコンを使用しない事で一般家庭や事務所で使用されるエアコンの排出熱・消費電力の減少をする事が可能でヒートアイランド現象・電力の減少することが出来る。
【考案を実施するための最良の形態】
【０００６】以下、本考案の実施の形態を図１〜図２に基づいて説明する。【０００７】図１においては、１ポンプからくみ上げられた冷水が、２パイプを通り３噴霧器から冷水をミスト状に噴霧し４扇風機ファンで気化し、室温を下げる。
【図面の簡単な説明】
【０００９】
【図１】本考案の実施形態を示すミスト噴出冷風扇風機の部分断立体図である。
【符号の説明】
【００１０】１ポンプ
２パイプ
３噴霧器
４扇風機ファン
【図１】
0003138210.tif 000003
(57)【要約】【課題】  洋服ハンガーを用いて布団等を広げて日干しするとフック部が針金状で細く、またフックと本体の結合部分が回転できる形状のものが多く風など外部の力で動いて広げた布団等がすぼんでしまう。【解決手段】  本考案はフック部を物干竿等丸いものに固定できる形状、ベランダの手すりなど角形のものに固定できる形状、およびどちらも固定できる形状の３種類とし、さらにフック部と本体が動かないよう一体成形とした。【選択図】図３
0003138203.tif 000002
【実用新案登録請求の範囲】
【請求項１】
布団、厚手のカーテンなどを直射日光等の熱を利用して乾燥するとき、その巾を広げて受光面積を増やし乾燥時間を短縮するための補助具で、
その丸型フック部分。
【請求項２】
布団、厚手のカーテンなどを直射日光等の熱を利用して乾燥するとき、その巾を広げて受光面積を増やし乾燥時間を短縮するための補助具で
その角型フック部分。
【請求項３】
布団、厚手のカーテンなどを直射日光等の熱を利用して乾燥するとき、その巾を広げて受光面積を増やし乾燥時間を短縮するための補助具で
その丸角両用フック部分。
【考案の詳細な説明】
【技術分野】
【０００１】  本考案は布団、カーテン等の繊維製品を太陽熱などを利用して乾燥する場合その巾を広げて受光面をふやし、乾燥時間を短縮するものである。
【背景技術】
【０００２】  従来、この用として洋服ハンガーが代用されてきた。
【考案の開示】
【考案が解決しようとする課題】
【０００３】  しかしハンガーはフックがハリガネ状で細く、またフックと本体の結合部分が回転できる構造のものが多く、風などの外部の力で容易に動いてしまう。
【課題を解決するための手段】
【０００４】  本考案はフック部を物干竿等丸いものに固定できる形状、ベランダの手すり等角形のものに固定できる形状、および両方兼用に固定できる形状の３種類とし風等の外部の力に影響される事がないよう、フック部と本体部分を一体成形とした。
【考案の効果】
【００００５】  これにより乾燥中に風等の外部の力を受けても容易に動かない。
【考案を実施するための最良の形態】
【０００６】  フック部は物干竿の直径を内径とするドーム、ベランダの手すりの横巾を内径とするコの字形の蓋をかぶせた形状、およびどちらでも使えるようにふたつを組み合わせた三種類の形状とし、フック部と本体は一体成形とした。
【図面の簡単な説明】
【０００７】
【図１】  正面図１である
【図２】  側面図１である
【図３】  立体図１である
【図４】  正面図２である
【図５】  側面図２である
【図６】  立体図２である
【図７】  正面図３である
【図８】  側面図３である
【図９】  立体図３である
【符号の説明】
【０００８】（１）
フック
（２）
本体
【図１】
0003138203.tif 000003
【図２】
0003138203.tif 000004
【図３】
0003138203.tif 000005
【図４】
0003138203.tif 000006
【図５】
0003138203.tif 000007
【図６】
0003138203.tif 000008
【図７】
0003138203.tif 000009
【図８】
0003138203.tif 000010
【図９】
0003138203.tif 000011
【手続補正書】
【提出日】平成19年10月1日(2007.10.1)
【手続補正１】
【補正対象書類名】実用新案登録請求の範囲
【補正対象項目名】全文
【補正方法】変更
【補正の内容】
【実用新案登録請求の範囲】
【請求項１】
布団、厚手のカーテンなどを直射日光等の熱を利用して乾燥するときその巾を広げて受光面積を増やし乾燥時間を短縮するための器具で丸型フック部分と楕円形の本体からなる乾燥補助具。
【請求項２】
布団、厚手のカーテンなどを直射日光等の熱を利用して乾燥するときその巾を広げて受光面積を増やし乾燥時間を短縮するための器具で角型フック部分と楕円形の本体からなる乾燥補助具。
【請求項３】
布団、厚手のカーテンなどを直射日光等の熱を利用して乾燥するときその巾を広げて受光面積を増やし乾燥時間を短縮するための器具で丸型角型両用フック部分と楕円形の本体からなる乾燥補助具。
(57)【要約】      （修正有）【課題】従来のペンの持ち方ができないお年寄りや身体の不自由な方や幼児でも文字や絵を書くことができるマーカーペンを提供する。【解決手段】マーカーペン本体１をボトル形状とし、ペン先２を横向きにして平面の円形の芯を用いることにより、どの角度から文字を書いても文字の太さを均等に揃えることができ、またグリップ３を手で握って持つことにより、従来のペンの持ち方ができないお年寄りや身体の不自由な方が文字を書いたり、幼児の文字や絵を書く教育に役立つ。【選択図】  図１
0003138245.tif 000002
【実用新案登録請求の範囲】
【請求項１】
ペン先に平面の円形の芯を用いて、ペン先を横向きにし、グリップ部分を手で握って
持ち文字を書くマーカーペン。
【考案の詳細な説明】
【技術分野】
【０００１】
本考案は、従来のペンの持ち方をしなくても握って文字を書くことができる、マーカー
ペンに関するものである。
【背景技術】
【０００２】
従来のペンの持ち方ができず、文字を書くのを困難としているお年寄りや身体の不自由
な方などが年々増加している。
【考案の開示】
【考案が解決しようとする課題】
【０００３】
従来のペンの持ち方ができないお年寄りや身体の不自由な方や幼児に対して現存してい
るペンで文字を書くのは困難である。従って、従来のペンの持ち方をしなくても、ペンを
握って文字を書くことが可能になり前述の欠点を解決しようとするものである。
【課題を解決するための手段】
【０００４】
本考案は本体をボトル形状とし、ペン先を横向きにし、ペンのグリップ部分は筒状とし
ている。ペン先は平面の円形の芯を用いることから文字の太さを均等に揃えることができ、従来のペンの持ち方をしなくてもペンのグリップ部分を握って文字を即座に書くことを可能とすることにより問題点を解決している。
【考案の効果】
【０００５】
平面の円形の芯を用いてペン先を横向きにしたことからグリップ部分を握りペン先を下
向きにすれば、どの角度からでも同じ太さの文字を書くことができる。よって、従来のペ
ンの持ち方ができない身体の不自由な方が文字などを書く場合や幼児の文字や絵を書く教
育に役立つ。
【考案を実施するための最良の形態】
【０００６】
太い文字を均等の太さで書きたい場合、現存している太文字用マーカーペンではペン先
の角度が変わると太さが変わってしまうが、平面の円形の芯を使用すればペン先を離して
も角度を変えても均等の太さで書くことができる。また、ペン先が横向きでグリップ部分
を握って使用することから、身体の不自由な方が文字を書く場合や幼児の文字を書く教育
の利用方法以外に、ホワイトボード等を使って字を書く場合やＰＯＰなどに文字や数字を
書く場合などに適し、従来のペンの持ち方で書くのに比べ、即座に文字を書くことができ
文字を書く速度も速くなる。
【実施例】
【０００７】
以下、添付図面に従って一実施例を説明する。１はボトル形状のマーカーペン本体、２
は平面の円形の芯、３はグリップ部分で、３のグリップ部分を手で握って持ち、２の平面
の円形の芯を下向きにして文字を書く。
【図面の簡単な説明】
【０００８】
【図１】本考案のグリップ式横向き円形芯マーカーペンの実施例を示す側面図である。
【図２】本マーカーペンの正面図である。
【符号の説明】
【０００９】
１  マーカーペン本体
２  ペン先
３  グリップ部分
【図１】
0003138245.tif 000003
【図２】
0003138245.tif 000004
(57)【要約】【課題】  タタミコースターの使用後のシミ・カビ・撥水性の改善をするとともに、両面タタミコースターとしての機能性及びデザイン性の向上を提供すること。【解決手段】  タタミコースター部分のビニール製タタミ１のものを使用することにより、機能面が改善するとともにタタミの裏の部材に布２を使い、糸３で縫い合わせることで布コースターとなる。布２の柄を変えることにより豊富なバリエーションとデザインが楽しめる。好みに合わせて裏表を選んで使用することが出来る。【選択図】図３
0003138249.tif 000002
【実用新案登録請求の範囲】
【請求項１】
ビニール製のタタミと布を重ね合わせて縫い付けることにより、両面使用ができる、表と裏のデザインが違うことが特徴のタタミコースター。
【考案の詳細な説明】
【技術分野】
【０００１】
本考案はデザインの異なる両面タタミコースターに関するものである。
【背景技術】
【０００２】
例として下記特許文献１のように両面使用できるものがあるが裏の部材やデザインが同等になっている。多くのコースターの裏の部材は台板に使われ、木材・コルク・厚紙・プラスチック・フェルトなどを重ねて接着されている。従来の天然イ草を使用したタタミコースターは水気に弱く、耐久性・機能性に優れていない。
【特許文献１】特開２００４−４１６４７号
【考案の開示】
【考案が解決しようとする課題】
【０００３】
タタミ部分に天然イ草を使用したときのシミ・カビの予防や撥水性とコースターとしての機能面の向上と両面コースターとしてのデザイン性も上げる。
【課題を解決するための手段】
【０００４】
素材にビニール製のタタミを使い、タタミと布を重ね合わせて縫い付けることにより、両面使用ができ、表と裏のデザインを違えることが可能である。
【考案の効果】
【０００５】
ビニール製のタタミを使用することで水気によるシミ・カビに強く、素材に撥水性があるため機能性が向上し、メンテナンスも簡単に済む。タタミの裏に布を重ね合わせて縫い付けることにより、このコースターの特徴である表面はタタミコースター・裏面は布コースターとしてデザインの異なった両面使用可能なコースターとなる。又、裏地が布なので厚みを抑えられ、水気による変形がしにくくなる。
【考案を実施するための最良の形態】
【０００６】
以下、本考案の実施の形態を図１〜図３に基づき参照しんがら説明をする。
【０００７】
図１はタタミコースター部分を表面とする。部材としてビニール製のタタミ１を使うことにより、水気によるシミ・カビに強く、耐久性・メンテナンスなどの部分でも天然イ草を使ったタタミコースターより実用的である。
図１のビニール製のタタミ１部分の表面の凹凸面が適度に溝になるため、コップを持ち上げた際にコースターが付きにくい。
【０００８】
図２はタタミコースターの裏面である。布２を包み込むように布を四方にまき、図２部分を糸３で縫いつけることで、布コースターとしてデザインが異なる両面コースターとなる。
タタミと重ね合わせた裏の部材として木材・コルク・厚紙などが接着されているものは水気などで変形するものが多く、何度か使用した後はコップの水気によって置いた時に安定性が悪くなることもある。裏の部材に布２を使うことで水気による変形がしにくくなる。
図２の裏面になる布２は和柄のものが中心だが、柄・素材を変えることにより豊富なバリエーションが楽しめる。用途に応じてタタミコースターと布コースターを使い分けることができる。
【０００９】
図３はタタミコースターの断面図である。
タタミの裏面に布を使うことにより、厚みも約２ｍｍ程度のものなので何枚か重ねてもコンパクトに収納ができる。
本考案は両面タタミコースターだが、コースター以外にも花瓶敷きや人形・小物の敷物として使用は可能である、好みに応じてアレンジができる利点がる。
【図面の簡単な説明】
【００１０】
【図１】たたみコースターの平面図である。
【図２】布コースターの平面図である。
【図３】コースターの断面図である。
【符号の説明】
【００１１】
１：ビニール製のタタミ
２：布
３：糸
【図１】
0003138249.tif 000003
【図２】
0003138249.tif 000004
【図３】
0003138249.tif 000005
(57)【要約】【課題】  掃除具として弾力性のある電導性物質を使用し、本来の目的である塵埃等の掃き出しが完全に行える戸車を提供すること。【解決手段】  左右に建具への取付片を有する支承フレームに車輪を回転可能に軸支して成る戸車において、取付片の下面に車輪の突出量より厚い導電ゴムから成る掃除具を貼着したことを特徴とする。【選択図】図１
0003138243.tif 000002
【実用新案登録請求の範囲】
【請求項１】
左右に建具への取付片を有する支承フレームに車輪を回転可能に軸支して成る戸車において、取付片の下面に車輪の突出量より厚い導電ゴムから成る掃除具を貼着したことを特徴とする戸車。
【考案の詳細な説明】
【技術分野】
【０００１】  本考案は、建具の走行中にレールの溝内の塵埃等を掃除する戸車に関するものである。
【背景技術】
【０００２】
【公知文献１】
実開昭６０−１５０２８６号公報
【考案の開示】
【考案が解決しようとする課題】
【０００３】  従来から、建具の走行中にレールの溝内の塵埃等を掃除する戸車として、実開昭６０−１５０２８６号公報等に記載される戸車がある。【０００４】  これらの戸車は、車輪の支承フレームの建具への取付片の下面にスポンジやブラシから成る掃除具を接着剤で貼着したもので、戸車の転動中にレールの溝を摺擦することによって溝内の塵埃等を掃除するようにしたものである。【０００５】  しかし、掃除具であるスポンジやブラシは非電導物質であるため、レールの溝を摺擦するときの摩擦によって静電気が発生して帯電し、この静電気の作用でスポンジやブラシの掃除具の周りに塵埃が集まり、引戸の開閉の都度塵埃の集まりが移動し、大気中の水分等によって固まりができて本来の目的である塵埃等の掃き出しが行えないという問題点があり、現実として実施されておらない。
【考案の目的】
【０００６】  本考案の目的は、掃除具として弾力性のある電導性物質を使用し、本来の目的である塵埃等の掃き出しが完全に行える戸車を提供することにある。
【課題を解決するための手段】
【０００７】  本考案に係る戸車は、左右に建具への取付片を有する支承フレームに車輪を回転可能に軸支して成る戸車において、取付片の下面に車輪の突出量より厚い導電ゴムから成る掃除具を貼着したことを特徴とするものである。
【考案の作用】
【０００８】  本考案に係る戸車では、取付片の下面に貼着する掃除具を導電ゴムとしたものであるから、レールの溝を摺擦するときの摩擦によって発生した静電気は金属製のレールに逃げ、掃除具は帯電しない。
【実施例】
【０００９】  図１は、本考案に係る戸車の正面図、図２は、同平面図、図３は、同側面図である。【００１０】  図において、１は、本考案の戸車、２は、同戸車を構成する車輪、３は、同車輪を支承する引戸の下端に取り付けるための取付片３−１、３−１を左右に有する支承フレームであって、垂直の両側板３−２、３−２の間に車輪２が軸２−１にて取り付けられるようになっている。【００１１】  ４は、前記取付片３−１、３−１の下面に両面テープ、接着剤等により貼着された導電ゴムから成る掃除具である。【００１２】  ここで、掃除具である導電ゴムとしては、有機高分子材料に対し、グラファイト、二酸化チタンを含有させたもの、シリコーンゴムに対して白金化合物を用いて表面処理した導電性金属粒子を配合したもの等を使用するもので、場合によっては加えられる圧力によって電気抵抗が変化する感圧導電ゴムを使用してもよいものである。【００１３】  実施例図では、簡単のため平底の溝を有するレールに合わせて掃除具４の断面形状を矩形状としてあるが、レールの溝の断面形状に合わせた断面形状とするものである。
【考案の効果】
【００１４】  以上述べたように、本考案に係る戸車によれば、左右に建具への取付片を有する支承フレームに車輪を回転可能に軸支して成る戸車において、取付片の下面に車輪の突出量より厚い導電ゴムから成る掃除具を貼着したものであるから、戸車が走行して引戸が開閉する際、掃除具がレールの溝を摺擦するときの摩擦によって静電気が発生しても、この静電気は金属製のレールに逃げ、掃除具は帯電しないため、本来の目的である塵埃等の掃き出しが完全に行える戸車を提供することができるものである。
【図面の簡単な説明】
【００１５】
【図１】    本考案に係る戸車の正面図である。
【図２】    同平面図である。
【図３】    同側面図である。
【符号の説明】
【００１６】      １          戸車
２          車輪
３          支承フレーム
４          掃除具
【図１】
0003138243.tif 000003
【図２】
0003138243.tif 000004
【図３】
0003138243.tif 000005
(57)【要約】【課題】氏名若しくは名称又はその略称等をアルファベットの鏡文字により刻設し、体裁の良い印影を与える印鑑を提供する。【解決手段】印面１の周縁に周縁線３を形成すると共に印面１の中央に中央線５を形成することにより該印面１を周縁線３と中央線５とにより二つの構成面７、９に区画し、一方の構成面７にはアルファベットの単数の鏡文字１１を刻設し、他方の構成面９にはアルファベットの複数の鏡文字１３を刻設したことを特徴とする印面。【選択図】図１
0003138247.tif 000002
【実用新案登録請求の範囲】
【請求項１】
印面の周縁に周縁線を形成すると共に印面の中央に中央線を形成することにより該印面を周縁線と中央線とにより二つの構成面に区画し、一方の構成面にはアルファベットの単数の鏡文字を刻設し、他方の構成面にはアルファベットの複数の鏡文字を刻設したことを特徴とする印面。
【考案の詳細な説明】
【技術分野】
【０００１】
本考案は、印鑑の印面に関するものである。
【背景技術】
【０００２】
印鑑の印面には、一般に印鑑使用者の姓（氏）、名、名称等が漢字、平仮名又は片仮名の鏡文字により刻設される。
【０００３】
鏡文字は、通常の文字を表裏反転させてなる鏡像文字であり、鏡文字を刻設した印面により押印された印影には通常の文字が現れる。
【０００４】
特開２００５−２８８５８号公報は、捺印作業を容易ならしめるために印面を湾曲状に形成してなる印鑑を開示している。
【特許文献１】特開２００５−２８８５８号公報
【考案の開示】
【考案が解決しようとする課題】
【０００５】
本考案は、氏名若しくは名称又はその略称等をアルファベットの鏡文字により刻設し、体裁の良い印影を与える印鑑を提供しようとしてなされたものである。
【課題を解決するための手段】
【０００６】
上記課題を解決するために、本考案は、下記の印面を提供するものである。
【０００７】
印面の周縁に周縁線を形成すると共に印面の中央に中央線を形成することにより該印面を周縁線と中央線とにより二つの構成面に区画し、一方の構成面にはアルファベットの単数の鏡文字を刻設し、他方の構成面にはアルファベットの複数の鏡文字を刻設したことを特徴とする印面（請求項１）。
【考案の効果】
【０００８】
本考案による印面を備えた印鑑を押印したときには、印影は、周縁線と中央線とにより二つの構成面に区画され、一方の構成面にはアルファベットの単数の文字が現れ、他方の構成面にはアルファベットの複数の文字が現れる。
【０００９】
したがって、本考案の印面により現れる印影は、極めて体裁の良い斬新なものとなる。
【考案を実施するための最良の形態】
【００１０】
本考案による印鑑の印面１は、好ましくは円形（図１参照）又は楕円形（図３参照）とするが、正方形ないし長方形その他の形状であっても差し支えない。
【００１１】
印面１の周縁に周縁線３を形成すると共に印面の中央に中央線５を形成することにより該印面１を周縁線３と中央線５とにより二つの構成面７、９に区画する。
【００１２】
一方の構成面７にはアルファベットの単数の鏡文字１１を刻設する。
【００１３】
アルファベットの単数の鏡文字１１は、図１に示す事例においては「Ｔ」の鏡文字であり、図３に示す事例においては「Ｈ」の鏡文字である。これらの鏡文字１１は、印鑑使用者の姓の頭文字である。
【００１４】
アルファベットの単数の鏡文字１１は、大文字であっても小文字であっても差し支えない。
【００１５】
他方の構成面９にはアルファベットの複数の鏡文字１３を刻設する。
【００１６】
アルファベットの複数の鏡文字１３は、図１に示す事例においては「ＹＯＫＯ」の鏡文字であり、図３に示す事例においては「ＴＡＲＯ」の鏡文字である。これらの鏡文字１３は、印鑑使用者の名を表す。
【００１７】
アルファベットの複数の鏡文字１３は、（１）すべて大文字のみよりなるもの、（２）すべて小文字のみよりなるもの、（３）頭のみ大文字よりなり、残りが小文字よりなるものなど、大文字、小文字の別を問わない。
【００１８】
周縁線３の上面と、中央線５の上面と、鏡文字１１の上面と、鏡文字１３の上面とは、それぞれ印面１の底面１５から所定の高さの略同一平面にある。
【図面の簡単な説明】
【００１９】
【図１】本考案による印面の一例を示す斜視図である。
【図２】同上の断面図である。
【図３】本考案による印面の別の一例を示す正面図である。
【符号の説明】
【００２０】
１  印面
３  周縁線
５  中央線
７  構成面
９  構成面
１１  鏡文字
１３  鏡文字
１５  底面
【図１】
0003138247.tif 000003
【図２】
0003138247.tif 000004
【図３】
0003138247.tif 000005
【手続補正書】
【提出日】平成19年10月30日(2007.10.30)
【手続補正１】
【補正対象書類名】実用新案登録請求の範囲
【補正対象項目名】請求項１
【補正方法】変更
【補正の内容】
【請求項１】
印面の周縁に周縁線を形成すると共に印面の中央に中央線を形成することにより該印面を周縁線と中央線とにより二つの構成面に区画し、一方の構成面にはアルファベットの単数の鏡文字を刻設し、他方の構成面にはアルファベットの複数の鏡文字を刻設したことを特徴とする印面を備えた印鑑。